(57)【特許請求の範囲】
【請求項１】
表示されるウェブページからリンク領域を検出する第１リンク領域検出部と、
前記第１リンク領域検出部により検出されたリンク領域に表示されるリンクテキストを含むリンク情報が記憶されるリンク情報記憶部と、
前記ウェブページから、選択されようとしているリンク領域を検出する第２リンク領域検出部と、
前記リンク情報記憶部から、前記第２リンク領域検出部により検出されたリンク領域に表示されたリンクテキストに類似するリンクテキストを含むリンク情報を検索するリンク情報検索部と、
前記リンク情報検索部により検索されたリンク情報内のリンクテキストと同じリンクテキストが表示されるリンク領域を強調表示させる制御を行うリンク領域強調表示制御部と
を備え、
前記リンク領域強調表示制御部は、
前記第２リンク領域検出部によりリンク領域が検出されたら、当該リンク領域に表示されたリンクテキストに対応するキーワードが入力されたときに当該キーワードが表示されるキーワード入力領域を表示させる制御を行い、
前記リンク情報検索部は、
前記リンク情報記憶部から、前記キーワードに類似するリンクテキストを含むリンク情報を検索する
ことを特徴とするリンク領域強調表示装置。
【請求項２】
過去に選択されたリンク領域の選択回数が記憶されるリンク領域選択回数記憶部を備え、
前記第２リンク領域検出部は、
選択されようとしているリンク領域であり且つ当該リンク領域について前記リンク領域選択回数記憶部に記憶された選択回数が予め定められた回数以上であるという条件を満たすリンク領域を検出する
ことを特徴とする請求項１記載のリンク領域強調表示装置。
【請求項３】
リンク領域強調表示装置の第１リンク領域検出部が、表示されるウェブページからリンク領域を検出し、
前記第１リンク領域検出部が、検出されたリンク領域に表示されるリンクテキストを含むリンク情報を、前記リンク領域強調表示装置のリンク情報記憶部に記憶させ、
前記リンク領域強調表示装置の第２リンク領域検出部が、前記ウェブページから、選択されようとしているリンク領域を検出し、
前記リンク領域強調表示装置のリンク情報検索部が、前記リンク情報記憶部から、前記第２リンク領域検出部により検出されたリンク領域に表示されたリンクテキストに類似するリンクテキストを含むリンク情報を検索し、
前記リンク領域強調表示装置のリンク領域強調表示制御部が、前記リンク情報検索部により検索されたリンク情報内のリンクテキストと同じリンクテキストが表示されるリンク領域を強調表示させる制御を行い、
前記リンク領域強調表示制御部は、
前記第２リンク領域検出部によりリンク領域が検出されたら、当該リンク領域に表示されたリンクテキストに対応するキーワードが入力されたときに当該キーワードが表示されるキーワード入力領域を表示させる制御を行い、
前記リンク情報検索部は、
前記リンク情報記憶部から、前記キーワードに類似するリンクテキストを含むリンク情報を検索する
ことを特徴とするリンク領域強調表示装置の動作方法。
【請求項４】
前記リンク領域強調表示装置は、過去に選択されたリンク領域の選択回数が記憶されるリンク領域選択回数記憶部を備え、
前記第２リンク領域検出部は、
選択されようとしているリンク領域であり且つ当該リンク領域について前記リンク領域選択回数記憶部に記憶された選択回数が予め定められた回数以上であるという条件を満たすリンク領域を検出する
ことを特徴とする請求項３記載のリンク領域強調表示装置の動作方法。
【請求項５】
請求項１または２記載のリンク領域強調表示装置としてコンピュータを機能させるためのコンピュータプログラム。
【発明の詳細な説明】
【技術分野】
【０００１】
本発明は、選択されようとしているリンク領域に表示されるリンクテキストに類似するリンクテキストが表示されるリンク領域を強調表示できるリンク領域強調表示装置およびその動作方法に関するものである。
【背景技術】
【０００２】
近年、インターネットの普及が進み、様々なサービスがインターネット上で楽しめるようになった。同時に、通信ネットワーク技術が高くなるにつれ、大容量の情報が一瞬でやりとりできるようになったため、ウェブサイト上には情報が大量にあふれるようになった。そのため、あるウェブサイトを初めて訪れるユーザは、目的とする情報が閲覧中のウェブページのどこに配置されているか、またどのような表現で表記されているかといったことを予想することが困難である。
【０００３】
特に初心者は、ウェブページの全体像をまず把握するということをしないため、目的にある程度合致するテキスト（リンクテキスト）が表示されたボタンなど（リンク領域）を見つけると、そのままリンク領域をクリックなどで選択してしまう。さらに、その先のウェブページに目的の情報がなかった場合でも、自分のイメージに固執して、繰り返しそのリンク領域を選択する場合がある。
【０００４】
よって、リンク領域が選択されようとした場合に、そのリンクテキストに類似する、つまり、目的により合致する可能性の高いリンクテキストが表示される他のリンク領域を推奨できれば、利便性が向上する。
【０００５】
従来の情報検出の支援技術には、例えば、キーワード検索をした後に、ウェブページ上で検索クエリをハイライト表示する技術がある（非特許文献１）。
【先行技術文献】
【非特許文献】
【０００６】
【非特許文献１】「キーワード検索とハイライトの基本」、［ｏｎｌｉｎｅ］、［平成２４年４月６日検索］、インターネット＜ＵＲＬ：http://www.google.com/support/toolbar/bin/answer.py?answer=9273&hl=ja＞
【発明の概要】
【発明が解決しようとする課題】
【０００７】
本発明は、上記の課題に鑑みてなされたものであり、その目的とするところは、選択されようとしているリンク領域に表示されるリンクテキストに類似するリンクテキストが表示されるリンク領域を強調表示できるリンク領域強調表示装置およびその動作方法を提供することにある。
【課題を解決するための手段】
【０００８】
上記の課題を解決するために、第１の本発明は、表示されるウェブページからリンク領域を検出する第１リンク領域検出部と、前記第１リンク領域検出部により検出されたリンク領域に表示されるリンクテキストを含むリンク情報が記憶されるリンク情報記憶部と、前記ウェブページから、選択されようとしているリンク領域を検出する第２リンク領域検出部と、前記リンク情報記憶部から、前記第２リンク領域検出部により検出されたリンク領域に表示されたリンクテキストに類似するリンクテキストを含むリンク情報を検索するリンク情報検索部と、前記リンク情報検索部により検索されたリンク情報内のリンクテキストと同じリンクテキストが表示されるリンク領域を強調表示させる制御を行うリンク領域強調表示制御部とを備え、前記リンク領域強調表示制御部は、前記第２リンク領域検出部によりリンク領域が検出されたら、当該リンク領域に表示されたリンクテキストに対応するキーワードが入力されたときに当該キーワードが表示されるキーワード入力領域を表示させる制御を行い、前記リンク情報検索部は、前記リンク情報記憶部から、前記キーワードに類似するリンクテキストを含むリンク情報を検索することを特徴とするリンク領域強調表示装置をもって解決手段とする。
【０００９】
第１の本発明において、例えば、リンク領域強調表示装置は、過去に選択されたリンク領域の選択回数が記憶されるリンク領域選択回数記憶部を備え、前記第２リンク領域検出部は、選択されようとしているリンク領域であり且つ当該リンク領域について前記リンク領域選択回数記憶部に記憶された選択回数が予め定められた回数以上であるという条件を満たすリンク領域を検出する。
【００１１】
第２の本発明は、リンク領域強調表示装置の第１リンク領域検出部が、表示されるウェブページからリンク領域を検出し、前記第１リンク領域検出部が、検出されたリンク領域に表示されるリンクテキストを含むリンク情報を、前記リンク領域強調表示装置のリンク情報記憶部に記憶させ、前記リンク領域強調表示装置の第２リンク領域検出部が、前記ウェブページから、選択されようとしているリンク領域を検出し、前記リンク領域強調表示装置のリンク情報検索部が、前記リンク情報記憶部から、前記第２リンク領域検出部により検出されたリンク領域に表示されたリンクテキストに類似するリンクテキストを含むリンク情報を検索し、前記リンク領域強調表示装置のリンク領域強調表示制御部が、前記リンク情報検索部により検索されたリンク情報内のリンクテキストと同じリンクテキストが表示されるリンク領域を強調表示させる制御を行い、前記リンク領域強調表示制御部は、前記第２リンク領域検出部によりリンク領域が検出されたら、当該リンク領域に表示されたリンクテキストに対応するキーワードが入力されたときに当該キーワードが表示されるキーワード入力領域を表示させる制御を行い、前記リンク情報検索部は、前記リンク情報記憶部から、前記キーワードに類似するリンクテキストを含むリンク情報を検索することを特徴とするリンク領域強調表示装置の動作方法をもって解決手段とする。
【００１２】
第２の本発明において、例えば、前記リンク領域強調表示装置は、過去に選択されたリンク領域の選択回数が記憶されるリンク領域選択回数記憶部を備え、前記第２リンク領域検出部は、選択されようとしているリンク領域であり且つ当該リンク領域について前記リンク領域選択回数記憶部に記憶された選択回数が予め定められた回数以上であるという条件を満たすリンク領域を検出する。
【発明の効果】
【００１４】
本発明によれば、選択されようとしているリンク領域に表示されるリンクテキストに類似するリンクテキストが表示されるリンク領域を強調表示することができる。
【図面の簡単な説明】
【００１５】
【図１】第１の実施の形態に係るリンク領域強調表示装置の構成の一例を示す図である。
【図２】リンク情報記憶部１５の構成の一例を示す図である。
【図３】表示部１２により表示可能な表示領域の原点の座標、リンク領域座標およびマウスポインタの座標を示す図である。
【図４】リンク領域強調表示装置１の動作方法を示すフローチャートである。
【図５】一部のリンク領域が強調して表示されたウェブページの一例を示す図である。
【図６】第２の実施の形態に係るリンク領域強調表示装置の構成の一例を示す図である。
【図７】リンク領域選択回数記憶部１０２の構成の一例を示す図である。
【図８】リンク領域強調表示装置１Ａの動作方法の一例を示すフローチャートである。
【図９】第３の実施の形態に係るリンク領域強調表示装置の構成の一例を示す図である。
【図１０】リンク領域強調表示装置１Ｂの動作方法の一例を示すフローチャートである。
【図１１】キーワード入力領域と入力されたキーワードにより強調表示されるリンク領域の一例を示す図である。
【発明を実施するための形態】
【００１６】
以下、本発明の実施の形態について図面を参照して説明する。
【００１７】
［第１の実施の形態］
図１は、第１の実施の形態に係るリンク領域強調表示装置の構成の一例を示す図である。
【００１８】
リンク領域強調表示装置１は、表示されたウェブページ内のボタンなどのリンク領域を強調表示させる制御を行う装置であり、例えば、パーソナルコンピュータ内でアプリケーションとして動作する。リンク領域強調表示装置１は、通信ネットワークＮを介して、コンテンツサーバ２に対して、場合によっては、図示しないその他のコンテンツサーバに対しても接続される。
【００１９】
リンク領域強調表示装置１は、コンテンツサーバ２からウェブページを表示するためのソースファイル等を受信する通信部１１と、ソースファイルを基にウェブページを表示する表示部１２と、マウスやキーボード等（図示せず）に対するユーザの操作を検出する情報入力部１３と、表示されるウェブページからリンク領域を検出する第１リンク領域検出部１４と、第１リンク領域検出部１４により検出されたリンク領域に表示されるリンクテキストを含むリンク情報が記憶されるリンク情報記憶部１５と、マウスポインタの移動先のリンク領域やキーボード操作で顕在化されたリンク領域つまり、クリック操作や改行キー操作で選択されようとしているリンク領域を検出する第２リンク領域検出部１６と、リンク情報記憶部１５から、第２リンク領域検出部１６により検出されたリンク領域に表示されたリンクテキストに類似するリンクテキストを含むリンク情報を検索するリンク情報検索部１７と、リンク情報検索部１７により検索されたリンク情報内のリンクテキストと同じリンクテキストが表示されるリンク領域を強調表示させる制御を表示部１２に対して行うリンク領域強調表示制御部１８と、リンク情報記憶部１５を管理する管理部１９と、強調表示に用いる画像などの素材が予め記憶された素材記憶部１０１とを備える。
【００２０】
リンク領域は、例えば、ウェブページ内のある領域（いわゆるボタンなど）にマウスポインタが移動し、マウスをクリックすると、例えば、当該領域に予め関連づけられた別のウェブページ（リンク先のウェブページ）が表示される場合の当該領域のことをいう。
【００２１】
リンク領域は、例えば、キーボードを操作することで、ウェブページ内のある領域（いわゆるボタンなど）が顕在化され、キーボードの改行キーを押すと、例えば、当該領域に予め関連づけられたリンク先のウェブページが表示される場合の当該領域のことをいう。
【００２２】
ソースファイルには、リンク領域に対応する記述が含まれ、第１リンク領域検出部１４は、ソースファイルの当該記述に基づいてリンク領域を検出する。
【００２３】
第２リンク領域検出部１６は、例えば、上記のようにマウスポインタの移動先にあるリンク領域や顕在化されたリンク領域を検出する。
【００２４】
リンクテキストとは、リンク領域に表示されるものであり、例えば、リンク先のウェブページを示す単語や文であり、ソースファイルに含まれる。
【００２５】
例えば、＜ａ  ｈｒｅｆ =”ＵＲＬ”＞健康＜／ａ＞との記述がソースファイルに含まれている場合、「健康」をリンクテキストという。
【００２６】
例えば、＜ａ  ｈｒｅｆ =”ＵＲＬ”＞＜ｉｍｇ  ｓｒｃ=”・・・”  ａｌｔ＝”健康診断”＞＜／ａ＞との記述がソースファイルに含まれている、つまり、「・・・」の部分のファイル名を有する画像がリンク領域に表示される場合、「健康診断」をリンクテキストという。
【００２７】
図２は、リンク情報記憶部１５の構成の一例を示す図である。
【００２８】
リンク情報記憶部１５には、第１リンク領域検出部１４により検出されたリンク領域ごとに、リンク領域に表示されるリンクテキストを含むリンク情報が記憶される。
【００２９】
リンク情報には、該当のリンク領域を有するウェブページのＵＲＬ（Uniform Resource Locator）、当該ウェブページの表示が開始された日時である表示日時、該当のリンクテキスト、当該ウェブページの中での当該リンク領域の識別情報であるリンク領域ＩＤ、当該リンク領域の位置を示すリンク領域座標が含まれる。
【００３０】
また、リンク情報には、リンク情報内のリンクテキストと、選択されようとしているリンク領域に表示されるリンクテキストとが類似している場合、さらに、類似の程度を示す類似度、具体的には、選択されようとしていないリンク領域に表示され且つ類似するリンクテキストの中での類似の程度の高い方からの順位が含まれる。
【００３１】
ここで、類似しているとは、該当のリンクテキストと選択されようとしているリンク領域に表示されるリンクテキストとが完全一致、あるいは部分一致、あるいは意味的に類似していることをいう。
【００３２】
類似度が、意味的な、概念的な類似の程度を示す場合、その計算には、形態素解析やトピックモデルなどの既存の言語処理技術が用いられる。概念レベルでの類似度を測定する既存の言語処理技術として、LSA等の技術がある。http://lsa.colorado.edu/では、後や合成語間の類似度を測ることができるウェブサイトが提供されている
または、類似語辞書などを利用して類似語を計算しても良い。官公庁サイトやインターネットショッピングサイト、銀行サイト、などウェブサイトの種類に応じて独自の類似語データベースを作り、類似語辞書として利用しても良い。
【００３３】
図３に示すように、表示部１２により表示可能な表示領域には、例えば、ウェブページの一部が表示されており、表示領域の左上隅に位置する原点の座標は（０、０）である。リンク領域座標は、例えば、矩形のリンク領域の左上角の座標（Ｘａ、Ｙａ）ならびに右下角の座標（Ｘｂ、Ｙｂ）で構成される。リンク領域座標は、ウェブページのスクロールにより変化する。また、マウスポインタについても、表示領域における座標（Ｘ、Ｙ）が検出される。
【００３４】
図１の管理部１９は、不要なリンク情報を過剰に保持しないように、予め定められた期間ごとにリンク情報記憶部１５の全てのリンク情報を削除する。期間は、数分、数時間、数日など、任意でよい。
【００３５】
図４は、リンク領域強調表示装置１の動作方法を示すフローチャートである。
【００３６】
まず、表示部１２は、所望のソースファイルを有するコンテンツサーバ２から、通信ネットワークＮと通信部１１を介して、ウェブページのソースファイルを取得し、ソースファイルにしたがってウェブページを表示する（Ｓ１）。
【００３７】
なお、表示部１２は、情報入力部１３が検出したユーザの操作を示す情報を取得し、これに応じて、ウェブページのスクロール等を行う。表示部１２は、クリック操作や改行キーを押すことなどによりリンク領域が選択されたなら、リンク領域に予め関連づけられた別のウェブページのソースファイルを取得し、ソースファイルにしたがってウェブページを表示する。
【００３８】
第１リンク領域検出部１４は、ウェブページが表示されたなら、表示部１２にアクセスし、表示されているウェブページのＵＲＬならびにウェブページの表示が開始された日時である表示日時を取得する（Ｓ３）。
【００３９】
次に、第１リンク領域検出部１４は、リンク情報記憶部１５にアクセスし、取得したＵＲＬと同じＵＲＬを含むリンク情報がリンク情報記憶部１５に含まれるか否かを判定する（Ｓ５）。
【００４０】
管理部１９は、取得されたＵＲＬと同じＵＲＬを含むリンク情報がリンク情報記憶部１５に含まれるなら（Ｓ５：ＹＥＳ）、当該リンク情報内のウェブページの表示日時を、取得された表示日時で更新する（Ｓ７）。
【００４１】
管理部１９は、一定期間ごとにリンク情報を削除するので、この場合（Ｓ５：ＹＥＳ）、ウェブページは過去の一定期間内に表示されたことになる。
【００４２】
一方、第１リンク領域検出部１４は、取得したＵＲＬと同じＵＲＬを含むリンク情報がリンク情報記憶部１５に含まれないなら（Ｓ５：ＮＯ）、表示部１２にアクセスし、表示されているウェブページ内の全てのリンク領域を検出し、リンク領域ごとに、類似度以外の上記内容（ＵＲＬ、表示日時、リンクテキスト、リンク領域ＩＤ、リンク領域座標）を含むリンク情報を生成し、リンク情報記憶部１５に記憶させる（Ｓ９）。
【００４３】
この場合（Ｓ５：ＮＯ）、ウェブページは過去の一定期間内に表示されていない、新出のウェブページであることになる。
【００４４】
第２リンク領域検出部１６は、ステップＳ７またはＳ９の処理が終わったなら、表示部１２にアクセスし、上記のようにマウスポインタの位置のリンク領域やキーボード操作により顕在化されたリンク領域を検出する（Ｓ１１）。つまり、第２リンク領域検出部１６は、選択されようとしているリンク領域を検出する（Ｓ１１）。
【００４５】
ここで、第２リンク領域検出部１６は、例えば、マウスポインタの座標（Ｘ、Ｙ）とリンク領域座標（Ｘａ、Ｙａ、Ｘｂ、Ｙｂ）が以下の式を満たす場合、マウスポインタは当該リンク領域に存在すると判定する。
【００４６】
Ｘａ≦Ｘ≦Ｘｂ  かつ  Ｙａ≦Ｙ≦Ｙｂ
次に、リンク情報検索部１７は、ステップＳ３で取得されたＵＲＬと同じＵＲＬを含む各リンク情報内の類似度を消去するとともに、ステップＳ１１で検出されたリンク領域に表示されるリンクテキストを取得し、当該リンクテキストと各リンク情報内のリンクテキストが類似している場合には、類似度を計算する（Ｓ１５）。リンク情報検索部１７は、上記のように、完全一致、部分一致の有無の判定、形態素解析などを行うことにより、類似の有無を判定し、類似度を計算する。管理部１９は、類似度を該当のリンク情報に含ませる（Ｓ１５）。
【００４７】
次に、リンク情報検索部１７は、リンク情報記憶部１５から、ステップＳ１１で検出されたリンク領域に表示されたリンクテキストに類似するリンクテキストを含むリンク情報を検索する（Ｓ１７）。
【００４８】
ここで、リンク情報検索部１７は、例えば、類似度（順位）が「１位」〜「５位」までのリンク情報を検索する（Ｓ１７）。なお、検索するリンク情報は、「５位」まででなくてもよい。
【００４９】
次に、リンク領域強調表示制御部１８は、表示部１２に対し、ステップＳ１７で検索されたリンク情報内のリンクテキストと同じリンクテキストが表示されるリンク領域を強調表示させる制御を行い（Ｓ１９）、制御をステップＳ１１に戻す。
【００５０】
ステップＳ１９では、例えば、リンク領域強調表示制御部１８は、リンク情報内のリンク領域座標を表示部１２に送信し、該当のリンク領域を強調表示させる（Ｓ１９）。
【００５１】
ステップＳ１９では、例えば、リンク領域強調表示制御部１８は、ソースファイルのすべての＜ａ＞要素の前後に＜ｄｉｖ  ｉｄ＝“（ＩＤ）”＞というタグを挿入し、ＪａｖａＳｃｒｉｐｔ（登録商標）で、強調すべきリンク領域に対応するタグのＩＤを表示部１２に送信し、当該ＩＤを含むタグに対応するリンク領域を強調表示させる（Ｓ１９）。
【００５２】
また、リンク領域強調表示制御部１８は、例えば、素材記憶部１０１から強調表示に用いる星などの画像を読み出し、これを表示部１２に送信し、強調表示に星の画像など使用させる（Ｓ１９）。
【００５３】
図５は、ステップＳ１９の制御により表示部１２が一部のリンク領域を強調して表示したウェブページの一例を示す図である。
【００５４】
図５に示すように、リンクテキスト「健康」が表示されるリンク領域にマウスポインタが移動した結果、「健康」に類似するリンクテキスト「インフルエンザ」、「健康な体づくり」、「予防」、「健診」、「健康保険」が表示されるリンク領域が、星の画像と太線枠などによって強調表示される。例えば、強調表示の態様は類似度に応じたものとされる。例えば、類似度が高い順にリンク領域を囲む枠の太さを細くするような方法がある。
【００５５】
なお、リンク領域を背景色で強調表示してもよい。背景色や枠線はＣｓｓ（Cascading Style Sheets：カスケーディングスタイルシート)で制御してもよい。また、リンク領域の強調表示は、目立つ色によるハイライト表示により行ってもよい。
【００５６】
したがって、第１の実施の形態によれば、以下のような不都合を防止することができる。例えば、ユーザが「健康保険」に関する情報を必要としている場合、図５で、リンクテキスト「健康」が表示されたリンク領域を不用意に選択（クリック）してしまい、必要のない「健康増進」に関するウェブページが表示され、必要な「健康保険」に関する情報を得るのに長時間を要してしまう、というような不都合を防止することができる。つまり、リンクテキスト「健康保険」が表示されたリンク領域が強調表示されるので、このリンク領域を選択することで、「健康保険」に関するウェブページが表示され、よって、その必要な情報を迅速に得ることができる。
【００５７】
なお、ステップＳ１５で、類似度を含むリンク領域がなかった場合は、表示部１２に対し、「類似するリンクは存在しません」等の文などの表示を行わせてもよい。
【００５８】
また、強調表示すべきリンク領域が表示領域に表示されていない場合は、ポップアップウィンドウを表示させ、その中に強調したリンク領域を表示してもよい。
【００５９】
［第２の実施の形態］
次に、本発明の第２の実施の形態について説明する。第２の実施の形態では、第１の実施の形態に同一または類似の装置および装置構成を用い、同一または類似のものについては第１の実施の形態で使用した符号を使用して重複説明を略し、第１の実施の形態とは異なる事項を中心に説明を行う。
【００６０】
図６は、第２の実施の形態に係るリンク領域強調表示装置の構成の一例を示す図である。
【００６１】
リンク領域強調表示装置１Ａは、通信部１１と、表示部１２と、情報入力部１３と、第１リンク領域検出部１４と、リンク情報記憶部１５と、第２リンク領域検出部１６と、リンク情報検索部１７と、リンク領域強調表示制御部１８と、管理する管理部１９と、素材記憶部１０１と、過去に選択されたリンク領域の選択回数が記憶されるリンク領域選択回数記憶部１０２とを備える。
【００６２】
図７は、リンク領域選択回数記憶部１０２の構成の一例を示す図である。
【００６３】
リンク領域選択回数記憶部１０２には、過去に選択された各リンク領域について、当該リンク領域を有するウェブページのＵＲＬ、当該ウェブページの最新の表示日時、当該リンク領域に表示されるリンクテキスト、当該リンク領域のリンク領域ＩＤ、当該リンク領域を選択した場合に表示されるリンク先のウェブページのＵＲＬ、当該リンク領域の選択回数を含むレコードが記憶される。
【００６４】
図６の管理部１９は、不要なレコードを過剰に保持しないように、表示日時から予め定められた期間が経過したレコードを削除する。期間は、数分、数時間、数日など、任意でよい。
【００６５】
図８は、リンク領域強調表示装置１Ａの動作方法の一例を示すフローチャートである。  ステップＳ１、Ｓ３、Ｓ５、Ｓ７、Ｓ９については、第１の実施の形態と同様なので、説明を省略する。
【００６６】
第２リンク領域検出部１６は、ステップＳ７またはＳ９の処理が終わったなら、表示部１２にアクセスし、クリック操作や改行キーを押すことなどにより選択されたリンク領域を検出する（Ｓ１０）。第２リンク領域検出部１６は、当該リンク領域を有するウェブページのＵＲＬおよび当該リンク領域のリンク領域ＩＤをリンク情報記憶部１５から取得する（Ｓ１０）。なお、第２リンク領域検出部１６は、第１リンク領域検出部１４がリンク領域ＩＤを設定する場合のアルゴリズムを使用して、当該ウェブページの全リンク領域にリンク領域ＩＤを付与し、その中から、選択されたリンク領域のリンク領域ＩＤを取得してもよい（Ｓ１０）。
【００６７】
第２リンク領域検出部１６は、当該ＵＲＬおよびリンク領域ＩＤを含むレコードがリンク領域選択回数記憶部１０２にあるなら、当該レコードに含まれた選択回数に１を加算するとともに、当該レコード内の表示日時を当該ウェブページの今回の表示が開始された日時に更新する（Ｓ１０）。第２リンク領域検出部１６は、一方、当該レコードがリンク領域選択回数記憶部１０２にないなら、当該ＵＲＬ、当該ウェブページの今回の表示が開始された日時である表示日時、当該リンク領域に表示されるリンクテキスト、当該リンク領域ＩＤ、当該リンク領域に対応するリンク先のウェブページのＵＲＬ、当該リンク領域の選択回数である１を含むレコードを新たにリンク領域選択回数記憶部１０２に記憶させる（Ｓ１０）。
【００６８】
なお、リンク先のウェブページは、ここでは、ポップアップウィンドウに表示され、当該リンク領域を有するウェブページの表示は継続していることとする。
【００６９】
第２リンク領域検出部１６は、ステップＳ１０の処理が終わったなら、表示部１２にアクセスし、選択されようとしているリンク領域を検出する（Ｓ１１）。
【００７０】
次に、第２リンク領域検出部１６は、リンク領域選択回数記憶部１０２から、検出したリンク領域に対応するレコードを検索し、当該レコードから選択回数を読み出し、選択回数が予め定められた数（例えば、「３」）以上であるか否かを判定する（Ｓ１２）。
【００７１】
選択回数が予め定められた数未満なら（Ｓ１２：ＮＯ）、制御はステップＳ１０に戻る。
【００７２】
第２リンク領域検出部１６は、選択回数が予め定められた数以上なら（Ｓ１２：ＹＥＳ）、リンク情報検索部１７にその旨を通知し、これにより、制御はステップＳ１５に移る。
【００７３】
ステップＳ１５、Ｓ１７、Ｓ１９については、第１の実施の形態と同様なので、説明を省略する。なお、ステップＳ１９の処理が終わると、制御はステップＳ１０に戻る。
【００７４】
なお、第２リンク領域検出部１６は、フローチャートでは図示しないが、ステップＳ１０で、選択されたリンク領域が検出されず、リンク領域選択回数記憶部１０２が更新されない場合であっても、ステップＳ１１の検出を試み、ここで、選択されようとしているリンク領域を検出されたなら、ステップＳ１２で、選択回数が予め定められた数以上であるか否かを判定する（Ｓ１２）。予め定められた数未満なら（Ｓ１２：ＮＯ）、制御はステップＳ１０に戻り、選択回数が予め定められた数以上なら（Ｓ１２：ＹＥＳ）、制御はステップＳ１３に移る。
【００７５】
また、リンク領域が選択されても、ウェブページの表示は継続していることととしたが、ウェブページがリンク先のウェブページに切り替わる場合は、ステップＳ１から処理が始まることとなる。
【００７６】
したがって、第２の実施の形態によれば、選択回数が予め定められた数以上の場合に限り、強調表示が行われるので、強調表示が頻発することによる煩わしさを軽減することができる。
【００７７】
［第３の実施の形態］
次に、本発明の第３の実施の形態について説明する。第３の実施の形態では、第２の実施の形態に同一または類似の装置および装置構成を用い、同一または類似のものについては第２の実施の形態で使用した符号を使用して重複説明を略し、第２の実施の形態とは異なる事項を中心に説明を行う。
【００７８】
図９は、第３の実施の形態に係るリンク領域強調表示装置の構成の一例を示す図である。
【００７９】
リンク領域強調表示装置１Ｂは、リンク領域強調表示装置１Ａと同様に、通信部１１と、表示部１２と、情報入力部１３と、第１リンク領域検出部１４と、リンク情報記憶部１５と、第２リンク領域検出部１６と、リンク情報検索部１７と、リンク領域強調表示制御部１８と、管理する管理部１９と、素材記憶部１０１と、過去に選択されたリンク領域の選択回数が記憶されるリンク領域選択回数記憶部１０２とを備える。
【００８０】
なお、図９は、第２リンク領域検出部１６がリンク領域強調表示制御部１８へ通知を行うことを示す矢印と、リンク情報検索部１７が表示部１２からキーワードを取得することを示す矢印を記載した点で、図６とは異なっている。
【００８１】
図１０は、リンク領域強調表示装置１Ｂの動作方法の一例を示すフローチャートである。
【００８２】
ステップＳ１、Ｓ３、Ｓ５、Ｓ７、Ｓ９、Ｓ１０、Ｓ１１、Ｓ１２については、第２の実施の形態と同様なので、説明を省略する。
【００８３】
第２リンク領域検出部１６は、選択回数が予め定められた数以上なら（Ｓ１２：ＹＥＳ）、リンク領域強調表示制御部１８にその旨を通知し、リンク領域強調表示制御部１８は、表示部１２に対し、キーワード入力領域（ステップＳ１１で検出されたリンク領域に表示されたリンクテキストに対応するキーワードが入力されたときに当該キーワードが表示される領域）を表示させる制御を行う（Ｓ１３）。
【００８４】
図１１は、キーワード入力領域と入力されたキーワードにより強調表示されるリンク領域の一例を示す図である。
【００８５】
図１１に示すように、リンク領域強調表示制御部１８からの制御によりキーワード入力領域が表示され、キーワード「インフルエンザの予防接種」が入力されると、このキーワードがキーワード入力領域に表示される。
【００８６】
次に、リンク情報検索部１７は、取得されたＵＲＬと同じＵＲＬを含む各リンク情報内の類似度を消去するとともに、ステップＳ１３で表示されたキーワード入力領域に表示されたキーワードを表示部１２から取得し、当該キーワードと各リンク情報内のリンクテキストが類似している場合には、類似度を計算し、類似度をリンク情報に含ませる（Ｓ１５）。類似度の計算方法は、第１の実施の形態の方法と同様である。
【００８７】
次に、リンク情報検索部１７は、リンク情報記憶部１５から、キーワードに類似するリンクテキストを含むリンク情報を検索する（Ｓ１７）。
【００８８】
ここで、リンク情報検索部１７は、例えば、類似度（順位）が「１位」〜「５位」までのリンク情報を検索する（Ｓ１７）。なお、検索するリンク情報は、「５位」まででなくてもよい。
【００８９】
次に、リンク領域強調表示制御部１８は、表示部１２に対し、ステップＳ１７で検索されたリンク情報内のリンクテキストと同じリンクテキストが表示されるリンク領域を強調表示させる制御を行い（Ｓ１９）、制御をステップＳ１０に戻す。
【００９０】
図１１に示すように、キーワード「インフルエンザの予防接種」が入力された結果、「インフルエンザの予防接種」に類似するリンクテキスト「インフルエンザ流行状況についえ」、「予防接種」が表示されるリンク領域が、星の画像と太線枠などによって強調表示される。
【００９１】
したがって、第３の実施の形態によれば、以下のような不都合を防止することができる。例えば、選択しようとしているリンク領域に表示されたリンクテキストが、ユーザの目的を正しく表してなく、強調表示されたリンク領域を不用意に選択した結果、ユーザの目的にそぐわないリンク先のウェブページが表示されるという不都合を防止することができる。つまり、キーワード入力領域に表示されるキーワードは、ユーザの目的を正しく表しており、よって、強調表示されたリンク領域を選択した場合、所望のウェブページが表示される。
【００９２】
なお、キーワード入力領域は、第２リンク領域検出部１６によりリンク領域が検出されたら無条件に表示させてもよい。つまり、第１の実施の形態において、図４のステップＳ１１でリンク領域が検出されたら、制御を図１０のステップＳ１３に移してもよい。
【００９３】
また、各リンク領域強調表示装置は、上記のようにコンピュータ内でアプリケーションとして動作する。すなわち、リンク情報記憶部１５、リンク領域選択回数記憶部１０２、素材記憶部１０１は、メモリや外部記憶装置で実現される。また、通信部１１、表示部１２、情報入力部１３、第１リンク領域検出部１４、第２リンク領域検出部１６、リンク情報検索部１７、リンク領域強調表示制御部１８、管理部１９は、ＣＰＵ等の演算部で実現される。
【００９４】
また、各リンク領域強調表示装置としてコンピュータを機能させるためのコンピュータプログラム（アプリケーションプログラム）は、光記憶装置や磁気記憶装置等の記録媒体に読出可能に記録することができる。この記録媒体はコンピュータに組み込むことができる。また、記録媒体に記録されたコンピュータプログラムを、任意の通信回線を介してコンピュータにダウンロードしたり、コンピュータにインストールしたりすることで、このコンピュータプログラムによりコンピュータを動作させ、上記の各処理動作を行わせることができる。
【符号の説明】
【００９５】
１、１Ａ、１Ｂ  リンク領域強調表示装置
２  コンテンツサーバ
１１  通信部
１２  表示部
１３  情報入力部
１４  第１リンク領域検出部
１５  リンク情報記憶部
１６  第２リンク領域検出部
１７  リンク情報検索部
１８  リンク領域強調表示制御部
１９  管理部
１０１  素材記憶部
１０２  リンク領域選択回数記憶部
【図１】
0005727964.tif 000002
【図２】
0005727964.tif 000003
【図３】
0005727964.tif 000004
【図４】
0005727964.tif 000005
【図５】
0005727964.tif 000006
【図６】
0005727964.tif 000007
【図７】
0005727964.tif 000008
【図８】
0005727964.tif 000009
【図９】
0005727964.tif 000010
【図１０】
0005727964.tif 000011
【図１１】
0005727964.tif 000012